(57)【要約】【課題】所定の停留地に設置して住宅として用いるトレーラーハウスにおいて、設置場所の制限を受けないようにして居住範囲を広げる。【解決手段】このトレーラーハウスはコンテナ２を有しており、コンテナ２にバイオトイレ２１が設けられている。これにより、バイオトイレ２１において、微生物の働きによって排泄物を分解処理することができ、汚水や汚物をトレーラーハウスの外部へ排出する作業が不要となる。そのため、トレーラーハウスは、汚水処理や汲み取り作業のための設備が備わっていない停留地にも設置可能となり、設置場所の制限を受けなくなって居住範囲が広がる。【選択図】図２
2011093484.tif 000002
【特許請求の範囲】
【請求項１】
コンテナを有するトレーラーハウスであって、
前記コンテナにバイオトイレが設けられていることを特徴とするトレーラーハウス。
【請求項２】
雨水を貯留しうる貯水手段が設けられ、この貯水手段に貯留された雨水を水回りに供給できるように構成されていることを特徴とする請求項１に記載のトレーラーハウス。
【請求項３】
前記貯水手段に貯留された雨水をろ過するろ過手段が設けられていることを特徴とする請求項２に記載のトレーラーハウス。
【請求項４】
太陽の光エネルギーを電気エネルギーに変換する太陽光発電パネルが設けられ、この太陽光発電パネルによって生成された電気エネルギーを装置・機器に給電できるように構成されていることを特徴とする請求項１乃至３のいずれかに記載のトレーラーハウス。
【請求項５】
前記コンテナの下側に車輪が回転自在に取り付けられていることを特徴とする請求項１乃至４のいずれかに記載のトレーラーハウス。
【請求項６】
前記コンテナに安定支持手段が、前記車輪を地面から浮かせて当該コンテナを地上に支持しうるように設けられていることを特徴とする請求項５に記載のトレーラーハウス。
【発明の詳細な説明】
【技術分野】
【０００１】
本発明は、所定の停留地に設置して住宅として用いるトレーラーハウス（モービルホーム）に関するものである。
【背景技術】
【０００２】
従来、この種のトレーラーハウスにおいては、長期間にわたる使用を考慮して、汲（く）み取り式または簡易水洗式のトイレがコンテナ（車体）に装備されていることが多い（例えば、特許文献１参照）。
【先行技術文献】
【特許文献】
【０００３】
【特許文献１】特開２００４−１３６７６４号公報（段落〔００１５〕の欄、図１、３）
【発明の概要】
【発明が解決しようとする課題】
【０００４】
しかしながら、これでは、トイレの使用に付随して汚水処理や汲み取り作業が必要となるため、トレーラーハウスの設置場所（停留地）、ひいては居住範囲が限られるという不都合があった。
【０００５】
本発明は、このような事情に鑑み、居住範囲の制限を受けないトレーラーハウスを提供することを目的とする。
【課題を解決するための手段】
【０００６】
かかる目的を達成するために、請求項１に記載の発明は、コンテナを有するトレーラーハウスであって、前記コンテナにバイオトイレが設けられているトレーラーハウスとしたことを特徴とする。
【０００７】
また、請求項２に記載の発明は、請求項１に記載の構成に加え、雨水を貯留しうる貯水手段が設けられ、この貯水手段に貯留された雨水を水回りに供給できるように構成されていることを特徴とする。
【０００８】
また、請求項３に記載の発明は、請求項２に記載の構成に加え、前記貯水手段に貯留された雨水をろ過するろ過手段が設けられていることを特徴とする。
【０００９】
また、請求項４に記載の発明は、請求項１乃至３のいずれかに記載の構成に加え、太陽の光エネルギーを電気エネルギーに変換する太陽光発電パネルが設けられ、この太陽光発電パネルによって生成された電気エネルギーを装置・機器に給電できるように構成されていることを特徴とする。
【００１０】
また、請求項５に記載の発明は、請求項１乃至４のいずれかに記載の構成に加え、前記コンテナの下側に車輪が回転自在に取り付けられていることを特徴とする。
【００１１】
また、請求項６に記載の発明は、請求項５に記載の構成に加え、前記コンテナに安定支持手段が、前記車輪を地面から浮かせて当該コンテナを地上に支持しうるように設けられていることを特徴とする。
【発明の効果】
【００１２】
本発明によれば、コンテナに設けられたバイオトイレにおいて、微生物の働きによって排泄物を処理することができるので、汚水や汚物をトレーラーハウスの外部へ排出する作業が不要となる。したがって、汚水処理や汲み取り作業のための設備が備わっていない停留地にもトレーラーハウスを設置することが可能となり、居住範囲の制限を受けないトレーラーハウスを提供することができる。
【図面の簡単な説明】
【００１３】
【図１】本発明の実施の形態１に係るトレーラーハウスの設置状態を示す斜視図である。
【図２】同実施の形態１に係るトレーラーハウスのコンテナの内部を示す平面図である。
【図３】同実施の形態１に係るトレーラーハウスの移動時の状態を示す斜視図である。
【発明を実施するための形態】
【００１４】
以下、本発明の実施の形態について説明する。
［発明の実施の形態１］
【００１５】
図１乃至図３には、本発明の実施の形態１を示す。
【００１６】
トレーラーハウス１は、図１に示すように、所定の大きさ（例えば、長さ６〜１１ｍ、幅３．１〜３．４ｍ、高さ４．１〜４．５ｍ）に組み立てられた直方体状の木造のコンテナ２を有しており、コンテナ２の上側には屋根材３が施工されている。また、コンテナ２の右側面にはプラットホーム状のウッドデッキ７が着脱自在に付設されており、このウッドデッキ７は、コンテナ２の床面と地面との段差（例えば、０．８ｍ）に対応した高さを有している。さらに、コンテナ２の下側には、複数本（例えば、８本）の車輪（タイヤ）５が回転自在に取り付けられている。また、コンテナ２の下側には、複数個（例えば、５個）のアウトリガ（安定脚）６が取り付けられている。これらのアウトリガ６はそれぞれ、コンテナ２の幅方向（左右方向）に張り出し自在に設けられた一対のフレーム６ａを有しており、各フレーム６ａには支柱６ｂが油圧シリンダによって鉛直方向に昇降自在に吊り下げられている。
【００１７】
なお、コンテナ２は、トレーラーハウス１が設置される停留地の状況に応じて、車輪５またはアウトリガ６を介して地上に支持することができる。すなわち、地震が発生する恐れがない停留地にトレーラーハウス１を設置する場合には、すべてのアウトリガ６において、一対のフレーム６ａをコンテナ２の幅方向に張り出し、各支柱６ｂを下降させて地面に接地させるとともに、すべての車輪５を地面から少し浮かせることにより、アウトリガ６を介してコンテナ２を地上に安定して支持する。一方、地震が発生する恐れがある停留地にトレーラーハウス１を設置する場合には、すべてのアウトリガ６を格納して、すべての車輪５を地面に接地させることにより、車輪５を介してコンテナ２を地上に支持する。
【００１８】
また、コンテナ２内は、図２に示すように、寝室空間Ｓ１、リビング空間（ダイニング・居間空間）Ｓ２、ユーティリティ空間Ｓ３の３つの空間に分割されている。
【００１９】
ここで、寝室空間Ｓ１には、図２に示すように、複数台のベッド（図示せず）が配置されているとともに、天井に照明装置３１が取り付けられており、さらに、コンテナ２の背面に窓２５が設けられている。
【００２０】
また、リビング空間Ｓ２には、図２に示すように、システムキッチン９が配置されているとともに、天井に照明装置３２が取り付けられている。さらに、リビング空間Ｓ２には、コンテナ２の左側面に窓２６が設けられているとともに、コンテナ２の右側面に両開き式の引き戸２７がウッドデッキ７に通じるように開閉自在に取り付けられている。
【００２１】
また、ユーティリティ空間Ｓ３は、図２に示すように、玄関１０、便所１１、洗面・脱衣所１２、シャワー室１３および機械室・倉庫１５に区画されている。玄関１０は開き戸１６を介してコンテナ２の外部に連通しており、玄関１０には天井に照明装置３３が取り付けられている。便所１１は開き戸１７を介して玄関１０に連通しており、便所１１にはバイオトイレ（コンポストトイレ）２１が設置されている。洗面・脱衣所１２はカーテンドア１９を介してリビング空間Ｓ２に連通しており、洗面・脱衣所１２には洗面器２２が装備されている。シャワー室１３は中折れ式のドア２０を介して洗面・脱衣所１２に連通しており、シャワー室１３にはシャワー２３が装備されている。機械室・倉庫１５は開き戸１８を介してコンテナ２の外部に連通している。
【００２２】
なお、コンテナ２の周囲には、図２に示すように、３個の外灯８が引き戸２７、開き戸１６、１８の近傍に取り付けられている。
【００２３】
また、コンテナ２には、雨水貯留タンクなどの貯水手段（図示せず）が装備されており、この貯水手段は、居住者の人数に対応した容量（例えば、２００〜５００リットル）の雨水を貯留する貯水能力を備えている。そして、この貯水手段に貯留された雨水をフィルターなどのろ過手段でろ過して所定の水質（例えば、ＢＯＤ（生物化学的酸素要求量）で１０〜１２ｐｐｍ以下の汚染度）を維持した状態でコンテナ２内の水回り（つまり、システムキッチン９、便所１１、洗面・脱衣所１２、シャワー室１３）に供給できるように構成されている。
【００２４】
さらに、屋根材３には、その全面にわたって太陽光発電パネル（図示せず）が敷設されており、この太陽光発電パネルによって太陽の光エネルギーを電気エネルギーに変換し、この電気エネルギーを各種の装置・機器（外灯８、照明装置３１、３２、３３など）に給電できるように構成されている。
【００２５】
トレーラーハウス１は以上のような構成を有するので、コンテナ２に設けられたバイオトイレ２１において、微生物の働きによって排泄（はいせつ）物を二酸化炭素と水に分解して処理することができる。そのため、従来の通常のトイレ（汲み取り式または簡易水洗式のトイレ）が設けられたトレーラーハウス１と異なり、汚水や汚物をトレーラーハウス１の外部へ排出する作業が不要となる。したがって、トレーラーハウス１は、汚水処理や汲み取り作業のための設備が備わっていない停留地にも設置することが可能となり、設置場所の制限を受けなくなって居住範囲が広がる。しかも、たとえ排泄物を分解処理しきれなかったとしても、その排泄物を堆肥として有効に利用することができる。
【００２６】
なお、トレーラーハウス１を長期間にわたって使用するには、バイオトイレ２１のバイオ菌（微生物）を定期的に交換する必要があるが、その頻度は少なくて済む。例えば、４人家族で毎日２０〜２５回バイオトイレ２１を使用する場合、バイオ菌を１年に１回ほど交換すればよい。したがって、従来の通常のトイレと比べて、メンテナンス性を向上させることができる。
【００２７】
また、コンテナ２がアウトリガ６を介して地上に支持されている場合は、トレーラーハウス１は、地盤に対する支持安定性が高く、強風を受けてコンテナ２の幅方向に倒壊する危険性が低い。一方、コンテナ２が車輪５を介して地上に支持されている場合は、トレーラーハウス１は耐震構造（柔構造）となり、地震が発生しても、その振動を車輪５が吸収するため、地震に対する安全性が高い。
【００２８】
さらに、このトレーラーハウス１では、雨水を利用して雑水を賄うことができるとともに、太陽の光エネルギーを利用して電力需要を満たすことができるため、環境負荷を大幅に低減することが可能となる。
【００２９】
なお、コンテナ２に出入りするときには、通常、引き戸２７を経由するが、図２に示すように、引き戸２７の外側にはウッドデッキ７が設置されているので、高齢者や子どもであっても容易に出入りすることができる。
【００３０】
また、このトレーラーハウス１を移動させる際には、ウッドデッキ７をコンテナ２から取り外すとともに、すべてのアウトリガ６を格納して、すべての車輪５を地面に接地させた状態で、図３に示すように、牽引車３０に連繋部材２９を介してトレーラーハウス１を連結し、牽引車３０でトレーラーハウス１を牽引して移動させる。こうすることにより、トレーラーハウス１を任意の場所へ簡単に移動させることができる。したがって、このトレーラーハウス１は、その機動性を活かして、災害時の仮設住宅、多目的住宅、別荘、保育所、介護施設、教室、移動式の店舗（カフェ、飲食店、弁当屋、屋台、理髪店、美容院など）、移動式図書館その他、様々な用途に利用することが可能となる。
［発明のその他の実施の形態］
【００３１】
なお、上述した実施の形態１では、木造のコンテナ２を有するトレーラーハウス１について説明したが、コンテナ２の構造材料は、木材に限るわけではなく、その他の材料（例えば、鉄骨、金属パネルなど）を代用または併用することもできる。
【００３２】
また、上述した実施の形態１では、安定支持手段としてアウトリガ６を備えたトレーラーハウス１について説明したが、アウトリガ６以外の安定支持手段を代用または併用することもできる。
【符号の説明】
【００３３】
１……トレーラーハウス
２……コンテナ
３……屋根材
５……車輪
６……アウトリガ（安定支持手段）
６ａ……フレーム
６ｂ……支柱
７……ウッドデッキ
８……外灯（装置・機器）
９……システムキッチン（水回り）
１０……玄関
１１……便所（水回り）
１２……洗面・脱衣所（水回り）
１３……シャワー室（水回り）
１５……機械室・倉庫
１６、１７、１８……開き戸
１９……カーテンドア
２０……ドア
２１……バイオトイレ
２２……洗面器
２３……シャワー
２５、２６……窓
２７……引き戸
２９……連繋部材
３０……牽引車
３１、３２、３３……照明装置（装置・機器）
Ｓ１……寝室空間
Ｓ２……リビング空間
Ｓ３……ユーティリティ空間
【図１】
2011093484.tif 000003
【図２】
2011093484.tif 000004
【図３】
2011093484.tif 000005